(57)【要約】【課題】警備開始時における誤報の発生の削減を実現しつつ操作者がセンサを意識せずに警備状態への切替を行うことができる警備装置、警備方法、監視システムを提供すること。【解決手段】切替判定手段１１５は、警備モード設定手段１１４３によって警備解除状態から警備状態への切替の入力を受付けた場合でかつセンサ１１１が異常を検知している場合に、異常を検知しているセンサ１１１の監視領域内に警備モード設定手段１１４３が存在するか否かを判断し、異常を検知しているセンサ１１１の監視領域内に警備モード設定手段１１４３が存在する場合には警備解除状態から警備状態への切替えを有効と判定し、警備状態切替手段１１３は、切替判定手段１１５によって警備解除状態から警備状態への切替を有効と判定された場合に警備解除状態から警備状態への切替えを行う。【選択図】        図１
2006185128.tif 000002
【特許請求の範囲】
【請求項１】
監視領域における異常を検知するセンサを備え、前記センサが異常を検知した場合に異常を検知した旨を示す警報情報を送信する状態を示す警備状態と前記センサが異常を検知した場合に前記警報情報を送信しない状態を示す警備解除状態との切替えにより監視センタへの警報情報の送信を制御する警備装置において、
前記警備解除状態から前記警備状態への切替えの入力を受付ける警備モード設定手段と、
前記警備モード設定手段によって前記警備解除状態から前記警備状態への切替の入力を受付けた場合でかつ前記センサが異常を検知している場合に、異常を検知している前記センサの監視領域内に前記警備モード設定手段が存在するか否かを判断し、異常を検知している前記センサの監視領域内に前記警備モード設定手段が存在する場合には前記警備解除状態から前記警備状態への切替えを有効と判定する切替判定手段と、
前記切替判定手段によって、前記警備解除状態から前記警備状態への切替を有効と判定された場合に前記警備解除状態から前記警備状態への切替えを行う警備状態切替手段と、
を備えることを特徴とする警備装置。
【請求項２】
前記切替判定手段は、さらに異常を検知している前記センサの監視領域内に前記警備モード設定手段が存在しない場合には前記警備解除状態から前記警備状態への切替えを無効と判定することを特徴とする請求項１に記載の警備装置。
【請求項３】
前記センサが異常を検知している場合であって、前記センサの監視領域内に前記警備モード設定手段が存在する場合には異常である旨を表示せず、前記センサの監視領域内に前記警備モード設定手段が存在しない場合には異常である旨を表示する異常検知表示手段をさらに備えることを特徴とする請求項１または請求項２に記載の警備装置。
【請求項４】
前記警備状態切替手段によって前記警備解除状態から前記警備状態への切替えの完了後一定時間内に警備領域内から退出する経路を監視領域とする前記センサが異常を検知した場合に前記監視センタに前記警報情報を送信しないように制御する警報送信制御手段をさらに備えることを特徴とする請求項１〜３のいずれか一つに記載の警備装置。
【請求項５】
点検状態の入力を受付ける点検モード設定手段と、
前記点検モード設定手段によって点検状態が設定された場合であって前記センサが異常を検知している場合には前記異常検知表示手段によって異常である旨を表示するセンサ点検手段と、をさらに備えることを特徴とする請求項３に記載の警備装置。
【請求項６】
監視領域における異常を検知するセンサを備え、前記センサが異常を検知した場合に異常を検知した旨を示す警報情報を送信する状態を示す警備状態と前記センサが異常を検知した場合に前記警報情報を送信しない状態を示す警備解除状態との切替えにより監視センタへの警報情報の送信を制御する警備装置と、前記警備装置とネットワークに接続され、前記警備装置が送信した前記警報情報を受信して前記監視領域を監視する監視センタと、を備える監視システムにおいて、
前記警備装置は、
前記警備解除状態から前記警備状態への切替えの入力を受付ける警備モード設定手段と、
前記警備モード設定手段によって前記警備解除状態から前記警備状態への切替の入力を受付けた場合でかつ前記センサが異常を検知している場合に、異常を検知している前記センサの監視領域内に前記警備モード設定手段が存在するか否かを判断し、異常を検知している前記センサの監視領域内に前記警備モード設定手段が存在する場合には前記警備解除状態から前記警備状態への切替えを有効と判定する切替判定手段と、
前記切替判定手段によって、前記警備解除状態から前記警備状態への切替を有効と判定された場合に前記警備解除状態から前記警備状態への切替えを行う警備状態切替手段と、
を備えることを特徴とする監視システム。
【請求項７】
監視領域における異常を検知するセンサを備え、前記センサが異常を検知した場合に異常を検知した旨を示す警報情報を送信する状態を示す警備状態と前記センサが異常を検知した場合に前記警報情報を送信しない状態を示す警備解除状態との切替えにより監視センタへの警報情報の送信を制御する警備方法において、
前記警備解除状態から前記警備状態への切替えの入力を受付ける警備モード設定手段によって前記警備解除状態から前記警備状態への切替の入力を受付けた場合でかつ前記センサが異常を検知している場合に、異常を検知している前記センサの監視領域内に前記警備モード設定手段が存在するか否かを判断し、異常を検知している前記センサの監視領域内に前記警備モード設定手段が存在する場合には前記警備解除状態から前記警備状態への切替えを有効と判定する切替判定ステップと、
前記切替判定ステップによって、前記警備解除状態から前記警備状態への切替を有効と判定された場合に前記警備解除状態から前記警備状態への切替えを行う警備状態切替ステップと、
を備えることを特徴とする警備方法。
【発明の詳細な説明】
【技術分野】
【０００１】
本発明は、警備装置、警備方法、監視システムに関するものであり、特に警備を開始する際における操作性の向上に関するものである。
【背景技術】
【０００２】
従来、警備装置はセンサなどを設置することにより警備区域での異常を検知して監視センタに警報を送信するが、警備を解除した状態から警備を開始する際に多くの警報の誤報が発生することが問題となっていた。このような警報は誤報であっても監視センタに送信された場合には、警備区域に警備員を派遣し警報の原因を確認する必要があり、誤報を確認する作業に対して多大な経費が発生していた。
【０００３】
このような誤報は、扉や窓を閉め忘れている場合、施錠を忘れている場合および建物内に人が残っている場合に警備状態に切替えることによって、警備が開始した時点で扉や窓の開閉、施錠を検知するセンサや人感センサが異常を検知し、警報を監視センタに送信するものが多い。よって、このような問題を解決するために警備開始時に設置されているセンサが異常を検知している場合には警備開始の指示を無効にする警備装置が開示されている（特許文献１参照）。
【０００４】
【特許文献１】実開昭５７−１８５０９１号公報
【発明の開示】
【発明が解決しようとする課題】
【０００５】
しかしながら、上記特許文献１では、警備解除状態から警備の開始を指示する際に警備の開始指示を行う操作器周辺にセンサが設定されている場合には、当該センサが警備開始指示の操作を行う操作者を検知して警備の開始指示を無効にしてしまうため、警備装置を警備状態に切替えることができないという問題があった。
【０００６】
また、このような不具合を解消するために操作器周辺にセンサを設置しないことも考えられるが、操作器周辺は警備対象である建物内に出入りする際に必ず通過する場所に通常設置されているため、このような重要な領域を監視対象から除外することは、警備の質を低下させることとなり、高度な警備を実現することができないという問題があった。
【０００７】
本発明は、上記に鑑みてなされたものであって、警備開始時における誤報の発生の削減を実現しつつ、操作者がセンサを意識せずに警備状態への切替を行うことができる警備装置、警備方法、監視システムを提供することを目的とする。
【課題を解決するための手段】
【０００８】
上述した課題を解決し、目的を達成するために、請求項１にかかる発明は、監視領域における異常を検知するセンサを備え、前記センサが異常を検知した場合に異常を検知した旨を示す警報情報を送信する状態を示す警備状態と前記センサが異常を検知した場合に前記警報情報を送信しない状態を示す警備解除状態との切替えにより監視センタへの警報情報の送信を制御する警備装置において、前記警備解除状態から前記警備状態への切替えの入力を受付ける警備モード設定手段と、前記警備モード設定手段によって前記警備解除状態から前記警備状態への切替の入力を受付けた場合でかつ前記センサが異常を検知している場合に、異常を検知している前記センサの監視領域内に前記警備モード設定手段が存在するか否かを判断し、異常を検知している前記センサの監視領域内に前記警備モード設定手段が存在する場合には前記警備解除状態から前記警備状態への切替えを有効と判定する切替判定手段と、前記切替判定手段によって、前記警備解除状態から前記警備状態への切替を有効と判定された場合に前記警備解除状態から前記警備状態への切替えを行う警備状態切替手段と、を備えることを特徴とする。
【０００９】
また、請求項２にかかる発明は、請求項１に記載の警備装置において、前記切替判定手段は、さらに異常を検知している前記センサの監視領域内に前記警備モード設定手段が存在しない場合には前記警備解除状態から前記警備状態への切替えを無効と判定することを特徴とする。
【００１０】
また、請求項３にかかる発明は、請求項１または請求項２に記載の警備装置において、前記センサが異常を検知している場合であって、前記センサの監視領域内に前記警備モード設定手段が存在する場合には異常である旨を表示せず、前記センサの監視領域内に前記警備モード設定手段が存在しない場合には異常である旨を表示する異常検知表示手段をさらに備えることを特徴とする。
【００１１】
また、請求項４にかかる発明は、請求項１〜３のいずれか一つに記載の警備装置において、前記警備状態切替手段によって前記警備解除状態から前記警備状態への切替えの完了後一定時間内に警備領域内から退出する経路を監視領域とする前記センサが異常を検知した場合に前記監視センタに前記警報情報を送信しないように制御する警報送信制御手段をさらに備えることを特徴とする。
【００１２】
また、請求項５にかかる発明は、請求項３に記載の警備装置において、点検状態の入力を受付ける点検モード設定手段と、前記点検モード設定手段によって点検状態が設定された場合であって前記センサが異常を検知している場合には前記異常検知表示手段によって異常である旨を表示するセンサ点検手段とをさらに備えることを特徴とする。
【００１３】
また、請求項６にかかる発明は、監視領域における異常を検知するセンサを備え、前記センサが異常を検知した場合に異常を検知した旨を示す警報情報を送信する状態を示す警備状態と前記センサが異常を検知した場合に前記警報情報を送信しない状態を示す警備解除状態との切替えにより監視センタへの警報情報の送信を制御する警備装置と、前記警備装置とネットワークに接続され、前記警備装置が送信した前記警報情報を受信して前記監視領域を監視する監視センタと、を備える監視システムにおいて、前記警備装置は、前記警備解除状態から前記警備状態への切替えの入力を受付ける警備モード設定手段と、前記警備モード設定手段によって前記警備解除状態から前記警備状態への切替の入力を受付けた場合でかつ前記センサが異常を検知している場合に、異常を検知している前記センサの監視領域内に前記警備モード設定手段が存在するか否かを判断し、異常を検知している前記センサの監視領域内に前記警備モード設定手段が存在する場合には前記警備解除状態から前記警備状態への切替えを有効と判定する切替判定手段と、前記切替判定手段によって、前記警備解除状態から前記警備状態への切替を有効と判定された場合に前記警備解除状態から前記警備状態への切替えを行う警備状態切替手段と、を備えることを特徴とする。
【００１４】
また、請求項７にかかる発明は、監視領域における異常を検知するセンサを備え、前記センサが異常を検知した場合に異常を検知した旨を示す警報情報を送信する状態を示す警備状態と前記センサが異常を検知した場合に前記警報情報を送信しない状態を示す警備解除状態との切替えにより監視センタへの警報情報の送信を制御する警備方法において、前記警備解除状態から前記警備状態への切替えの入力を受付ける警備モード設定手段によって前記警備解除状態から前記警備状態への切替の入力を受付けた場合でかつ前記センサが異常を検知している場合に、異常を検知している前記センサの監視領域内に前記警備モード設定手段が存在するか否かを判断し、異常を検知している前記センサの監視領域内に前記警備モード設定手段が存在する場合には前記警備解除状態から前記警備状態への切替えを有効と判定する切替判定ステップと、前記切替判定ステップによって、前記警備解除状態から前記警備状態への切替を有効と判定された場合に前記警備解除状態から前記警備状態への切替えを行う警備状態切替ステップと、を備えることを特徴とする。
【発明の効果】
【００１５】
請求項１にかかる発明によれば、切替判定手段によって、警備モード設定手段によって警備解除状態から警備状態への切替の入力を受付けた場合でかつセンサが異常を検知している場合に、異常を検知しているセンサの監視領域内に警備モード設定手段が存在するか否かを判断し、異常を検知しているセンサの監視領域内に警備モード設定手段が存在する場合には警備解除状態から警備状態への切替えを有効と判定することにより、監視領域内に警備モード設定部が存在するセンサが操作者を検知して警備解除状態から警備状態への切替を無効とすることがないため、操作者はセンサを意識せずに警備状態への切替を行うことができ、操作性を向上することができるという効果を奏する。
【００１６】
また、請求項２にかかる発明によれば、切替判定手段は、さらに異常を検知しているセンサの監視領域内に警備モード設定手段が存在しない場合には警備解除状態から警備状態への切替えを無効と判定することにより、監視領域内に警備モード設定部が存在するセンサ以外のセンサが異常を検知している場合に警備解除状態から警備状態への切替えが行われないため、警報の誤報を削減できるという効果を奏する。
【００１７】
また、請求項３にかかる発明によれば、異常検知表示手段によって、センサが異常を検知している場合であって、センサの監視領域内に警備モード設定手段が存在する場合には異常である旨を表示せず、センサの監視領域内に警備モード設定手段が存在しない場合には異常である旨を表示することにより、確認すべきセンサのみが表示されているため、操作者は戸締りや人の締込みなどを効率よく確認することができ、操作者の作業負担を軽減できるという効果を奏する。
【００１８】
また、請求項４にかかる発明によれば、警報送信制御手段によって、警備状態切替手段によって警備解除状態から警備状態への切替えの完了後一定時間内に警備領域内から退出する経路を監視領域とするセンサが異常を検知した場合に監視センタに警報情報を送信しないように制御することにより、操作者は退出するために必要な時間内においてはセンサに検知されても監視センタに警報が送信されないため、退出者を検知することでの誤報を削減することができるという効果を奏する。
【００１９】
また、請求項５にかかる発明によれば、センサ点検手段によって、点検モード設定手段によって点検状態が設定された場合であってセンサが異常を検知している場合には異常検知表示手段によって異常である旨を表示することにより、通常の警備解除状態では異常を検知している場合であっても警備解除状態から警備状態への切替を無効とせず、異常検知表示手段に異常である旨を表示しない監視領域に警備モード設定部が存在するセンサについても異常を検知しているか否かの点検ができるため、センサの故障を確認することができ、信頼性の高い警備を行うことができるという効果を奏する。
【００２０】
また、請求項６にかかる発明によれば、警備装置は、切替判定手段によって、警備モード設定手段によって警備解除状態から警備状態への切替の入力を受付けた場合でかつセンサが異常を検知している場合に、異常を検知しているセンサの監視領域内に警備モード設定手段が存在するか否かを判断し、異常を検知しているセンサの監視領域内に警備モード設定手段が存在する場合には警備解除状態から警備状態への切替えを有効と判定することにより、監視領域内に警備モード設定部が存在するセンサが操作者を検知して警備解除状態から警備状態への切替を無効とすることがないため、操作者はセンサを意識せずに警備状態への切替を行うことができ、操作性を向上することができるという効果を奏する。
【００２１】
また、請求項７にかかる発明によれば、切替判定ステップによって、警備解除状態から警備状態への切替えの入力を受付ける警備モード設定手段によって警備解除状態から警備状態への切替の入力を受付けた場合でかつセンサが異常を検知している場合に、異常を検知しているセンサの監視領域内に警備モード設定手段が存在するか否かを判断し、異常を検知しているセンサの監視領域内に警備モード設定手段が存在する場合には警備解除状態から警備状態への切替えを有効と判定することにより、監視領域内に警備モード設定部が存在するセンサが操作者を検知して警備解除状態から警備状態への切替を無効とすることがないため、操作者はセンサを意識せずに警備状態への切替を行うことができ、操作性を向上することができるという効果を奏する。
【発明を実施するための最良の形態】
【００２２】
以下に添付図面を参照して、この発明にかかる警備装置、警備方法、監視システムの最良な実施の形態を詳細に説明する。
【００２３】
（第１の実施の形態）
第１の実施の形態について、添付図面を参照して説明する。第１の実施の形態にかかる警備装置は、警備解除状態から警備状態に切替える際に操作部周辺を監視領域とするセンサが異常を検知した場合でも警備状態への切替を有効とし、警備状態切替後一定時間内は操作者の退出経路に設置されているセンサが異常を検知した場合でも警報を監視センタに送信しないものである。
【００２４】
まず、本発明が適用される監視システムの構成例について説明する。図１は、第１の実施の形態にかかる監視システムの構成を示すブロック図である。警備装置１１０と、監視センタ１４０とから構成されており、警備装置１１０と監視センタ１４０とは電話回線、無線ネットワーク、インターネットなどのネットワーク１３０を介して接続されている。
【００２５】
本実施の形態にかかる警備装置は、センサ１１１ａ〜１１１ｃと、検知信号入力部１１２と、警備状態切替部１１３と、操作表示部１１４と、切替判定部１１５と、タイマ部１１６と、センサ情報記憶部１１７と、警備状態記憶部１１８と、警報送信制御部１１９と、警報送信部１２０とから構成されている。
【００２６】
センサ１１１ａ〜１１１ｃは、例えば、赤外線の受光量の変化をもとに人を検知する赤外線センサ、赤外線などが遮られることで人を検知する遮断センサ、電磁波の乱れで人を検知する気配センサ、およびマグネットにより扉の開閉を検知するマグネットセンサなどの警備領域の異常を検知する各種センサである。なお、本実施の形態では、３つのセンサの例で説明しているが、センサの数に特に制約はない。
【００２７】
検知信号入力部１１２は、センサ１１１が送信した検知信号を受信するものである。警備状態切替部１１３は、後述の警備モード設定部１１４３で入力された警備モードと後述の切替判定部１１５における切替が有効か無効かの判定に従って、警備モードを警備状態または警備解除状態のいずれかに切り替えるものである。
【００２８】
ここで、警備状態とは、センサによって異常を検知したときに発せられる検知信号を警備装置が受信した場合に、監視センタに異常を知らせる警報を通報する状態をいい、警備解除状態とは、警備装置がセンサから異常を検知した場合でも監視センタへの警報の通報を行わない状態をいう。
【００２９】
操作表示部１１４は、さらに検知信号表示部１１４１と、警備モード表示部１１４２と、警備モード設定部１１４３とから構成されている。図２は、操作表示部の一例を示す説明図である。検知信号表示部１１４１は、センサ１１１が人を検知した場合に赤色ランプを点灯することなどによって人を検知している場合や扉が開いている状態を検知していることを表示するものである（図２の２１）。
【００３０】
本実施の形態では、センサ１１１のうちいずれか一つのセンサが人を検知した場合に赤色ランプを点灯するが、赤色ランプをセンサごとに設けてセンサごとに人を検知した場合に点灯するようにしてもよい。また、本実施の形態では、操作部周辺に設置されているセンサは人を検知しても赤色ランプは点灯しないが、点検モードでは人を検知した場合には赤色ランプを点灯する。
【００３１】
警備モード表示部１１４２は、警備モードを切替える際に切替え操作が有効に受付けられたか否かおよび退出の指示などを表示するものである（図２の２４）。警備モード設定部１１４３は、警備装置１１０に対して警備モードを入力するものである。具体的には、警備状態または警備解除状態を入力することができる（図２の２５）。例えば、警備ボタンと警備解除ボタンが設置されている場合やテンキーが設置されている場合、個人ＩＤを照合するカードリーダが設置されている場合などがある。
【００３２】
切替判定部１１５は、警備モード設定部１１４３で警備モードを警備解除状態から警備状態に切替指示が入力された場合に、入力された切換指示を有効とするか無効とするかを判定するものである。
【００３３】
タイマ部１１６は、計測開始を指示した時点からの時間を計測するものである。具体的には、警備状態切替部１１３によって警備モードが警備解除状態から警備状態への切換えが完了した時点からの時間を計測する。
【００３４】
センサ情報記憶部１１７は、センサごとにセンサが設置されている周辺状況やセンサが退出ルートに設置されているか否かを規定したセンサ情報を記憶している。図３は、センサ情報記憶部が記憶しているセンサ情報のデータ構成の一例を示す説明図である。センサ情報記憶部１１７は、センサＩＤと、周辺状況情報と、退出ルート情報とを対応付けて記憶している。ここで、監視領域内に操作モード設定部１１４３が存在するセンサに対しては周辺状況情報として“操作部”が設定されている。
【００３５】
警備状態記憶部１１８は、警備区域の現在の警備モードを記憶している。この警備モードは、警備区域の現在の警備の状態を示すものであり、上述の警備状態または警備解除状態のいずれかが設定されている。
【００３６】
警報送信制御部１１９は、警備状態切替部１１３によって警備モードが警備解除状態から警備状態への切換えが完了した後一定時間内にセンサ１１１が人を検知した場合に、警報を監視センタに送信するか送信しないかを制御するものである。警報送信部１２０は、警報情報を監視センタに送信するものである。
【００３７】
次に、以上のように構成されている警備装置による警備モード切替処理について説明する。図４−１〜図４−３は、警備モード設定部、切換判定部、警備状態切換部、タイマ部、警備モード表示部、検知信号表示部、検知信号入力部、警報送信制御部が行う警備モード切替手順を示すフローチャートである。
【００３８】
まず、検知信号表示部１１４１は、異常を検知しているセンサが存在するか否かを判断する（ステップＳ４００１）。具体的には、各センサからの検知信号の有無を判断することにより、異常を検知しているセンサが存在するか否かを判断する。
【００３９】
異常を検知しているセンサが存在すると判断された場合には（ステップＳ４００１：Ｙｅｓ）、検知信号表示部１１４１は異常を検知しているセンサのＩＤを取得し（ステップＳ４００２）、センサ情報記憶部１１７から周辺状況情報が“操作部”であるセンサＩＤを取得する（ステップＳ４００３）。
【００４０】
検知信号表示部１１４１は、異常を検知しているセンサＩＤは周辺状況情報が“操作部”であるセンサＩＤと一致しているか否か、すなわち異常を検知しているセンサの監視領域内に警備モード設定部が存在するか否かを判断する（ステップＳ４００４）。なお、異常を検知しているセンサが複数存在すれば、異常を検知しているセンサの総てについて周辺状況情報が“操作部”であるセンサＩＤと一致するか否かを判断する。
【００４１】
異常を検知しているセンサＩＤは周辺状況情報が“操作部”であるセンサＩＤと一致しないと判断した場合には（ステップＳ４００４：Ｎｏ）、検知信号表示部１１４１はランプを点灯する（ステップＳ４００５）。なお、検知信号表示部に１１４１にセンサごとのランプを設けている場合には、異常を検知しているランプを点灯する。異常を検知しているセンサＩＤは周辺状況情報が“操作部”であるセンサＩＤと一致すると判断した場合には（ステップＳ４００４：Ｎｏ）、ランプの点灯は行わずステップＳ４００６の処理へ進む。
【００４２】
警備ボタンが押下されたか否かを判断する（ステップＳ４００６）。警備ボタンが押下されないと判断された場合には（ステップＳ４００６：Ｎｏ）、ステップＳ４００１へ戻る。警備ボタンが押下されたと判断された場合には（ステップＳ４００６：Ｙｅｓ）、警備モード設定部１１４３は警備状態の入力を受付ける（ステップＳ４００７）。切換判定部１１５は、異常を検知しているセンサが存在するか否かを判断する（ステップＳ４００８）。具体的には、各センサからの検知信号の有無を判断することにより、異常を検知しているセンサが存在するか否かを判断する。
【００４３】
異常を検知しているセンサが存在すると判断された場合には（ステップＳ４００８：Ｙｅｓ）、切換判定部１１５は異常を検知しているセンサのＩＤを取得し（ステップＳ４００９）、センサ情報記憶部１１７から周辺状況情報が“操作部”であるセンサＩＤを取得する（ステップＳ４０１０）。
【００４４】
切換判定部１１５は、異常を検知しているセンサＩＤは周辺状況情報が“操作部”であるセンサＩＤと一致しているか否か、すなわち異常を検知しているセンサの監視領域内に警備モード設定部が存在するか否かを判断する（ステップＳ４０１１）。なお、異常を検知しているセンサが複数存在すれば、異常を検知しているセンサの総てについて周辺状況情報が“操作部”であるセンサＩＤと一致しているか否かを判断する。
【００４５】
異常を検知しているセンサＩＤは周辺状況情報が“操作部”のセンサＩＤと一致する、すなわち異常を検知しているセンサの監視領域内に警備モード設定部が存在すると判断した場合には（ステップＳ４０１１：Ｙｅｓ）、切換判定部１１５は警備状態の入力は有効と判断する（ステップＳ４０１２）。警備状態切替部１１３は、警備モードを警備解除状態から警備状態に切替える（ステップＳ４０１３）。
【００４６】
タイマ部１１６は、時間の計測を開始する（ステップＳ４０１４）。警備モード表示部１１４２は、警備をセットした旨のメッセージを表示する（ステップＳ４０１５）。例えば、“警備をセットします。速やかに退出ください”というメッセージを出力する。なお、音声でメッセージを出力してもよい。
【００４７】
ステップＳ４００８に戻り、異常を検知しているセンサが存在しないと判断された場合には（ステップＳ４００８：Ｎｏ）、ステップＳ４０１２に進み、警備状態の入力は有効と判断し、警備モードを警備解除状態から警備状態に切替える。
【００４８】
ステップＳ４０１１に戻り、異常を検知しているセンサＩＤは、周辺状況情報が“操作部”のセンサＩＤと一致しない、すなわち異常を検知しているセンサの監視領域内に警備モード設定部が存在しないと判断された場合には（ステップＳ４０１１：Ｎｏ）、切替判定部１１５は警備モード設定部１１４３での警備状態の入力を無効にする（ステップＳ４０１６）。警備モード表示部１１４２は、警備がセットできない旨を表示する（ステップＳ４０１７）。例えば、“異常個所があります。警備セットできません。”というメッセージを表示する。なお、警備をセットする場合と同様に、音声でメッセージを出力してもよい。メッセージ出力後、処理を抜ける。
【００４９】
さらに、退出ルートに設置されたセンサが異常を検知した場合に警報送信制御処理について説明する。
【００５０】
まず、センサが異常を検知する。検知信号入力部１１２は、検知信号を受信し、異常を検知したセンサのＩＤを取得する（ステップＳ４０１８）。警報送信制御部１１９は、タイマ部１１６から警備解除状態から警備状態への切替完了後の経過時間を取得する（ステップＳ４０１９）。
【００５１】
警報送信制御部１１９は、センサが異常を検知した時間は警備状態に切替完了後一定時間以内か否かを判断する（ステップＳ４０２０）。センサが異常を検知した時間は警備状態が切替完了後一定時間以内であると判断した場合には（ステップＳ４０２０：Ｙｅｓ）、警報送信制御部１１９はセンサ情報記憶部１１７から異常を検知したセンサＩＤの退出ルート情報を取得する（ステップＳ４０２１）。
【００５２】
警報送信制御部１１９は、異常を検知したセンサＩＤの退出ルート情報に“退出ルート”と設定されているか否かを判断する（ステップＳ４０２２）。異常を検知したセンサＩＤの退出ルート情報に“退出ルート”と設定されていると判断された場合には（ステップＳ４０２２：Ｙｅｓ）、警報情報は送信せずに処理を抜ける。
【００５３】
異常を検知したセンサＩＤの退出ルート情報に“退出ルート”と設定されていないと判断された場合には（ステップＳ４０２２：Ｎｏ）、警報送信部１２０は、警報情報を監視センタに送信する（ステップＳ４０２３）。ステップＳ４０２０に戻って、センサが異常を検知した時間は警備状態に切替完了後一定時間以内でないと判断した場合には（ステップＳ４０２０：Ｎｏ）、ステップＳ４０２３に進み、警報情報を監視センタに送信する（ステップＳ４０２３）。
【００５４】
ここで、さらに具体例によって上述の処理を説明する。図５は、警備装置が設置されている警備領域の一例を示す説明図である。警備装置１１０が設置され、警備装置１１０の前面に操作表示部１１４が設置されている。センサ１１１ａはエリアＡが監視領域であり、監視領域内に警備モード設定部１１４３を含む操作表示部１１４が設置され、操作者が警備を設定した後建物内から退出する際に通行する退出ルートに設置されている、すなわちセンサ１１１ａは警備状態に切替え完了後操作者が退出する際にセンサが異常を感知することになる（図３のセンサＩＤ“０００１”に相当）。
【００５５】
センサ１１１ｂはエリアＢが監視領域であり、監視領域内に出入口が存在し、退出ルートに設置されている（図３のセンサＩＤ“０００２”に相当）。センサ１１１ｃはエリアＣが監視領域であって監視領域は廊下であり、退出ルートに設置されていない（図３のセンサＩＤ“０００３”に相当）。
【００５６】
上述のような警備領域において、操作者はセンサ１１１ａの監視領域（エリアＡ）に存在する操作表示部１１４の警備モード設定部１１４３の警備ボタンを押下して（１）退出ルートを通り（２）、センサ１１１ｂの監視領域（エリアＢ）の出入口を通って（３）建物外へ退出する（４）場合を考える。
【００５７】
図６は、センサの異常検知状態と警備状態切替の有効無効の関係の一例を示す説明図である。操作１では、周辺状況情報が“操作部”のセンサ１１１ａが異常を検知しており（異常検知１）、さらに周辺状況情報が“出入口”のセンサ１１１ｂも異常を検知している（異常検知２）。
【００５８】
このような場合における警備装置の処理を図４−１、図４−２のフローチャートによって説明する。ステップＳ４００１〜ステップＳ４００５は、検知信号表示部１１４１の処理であるため、説明を省略する。まず操作１によって警備ボタンが押下されたと判断される（ステップＳ４００６：Ｙｅｓ）。次に警備状態の入力を受付け（ステップＳ４００７）、検知信号を送信しているセンサは“１１１ａ”と“１１１ｂ”の２つが存在するため、ステップＳ４００８の判断で“Ｙｅｓ”に進む（ステップＳ４００８：Ｙｅｓ）。
【００５９】
次に、異常を検知しているセンサ１１１ａとセンサ１１１ｂのセンサＩＤを取得する（ステップＳ４００９）。具体的には、センサ１１１ａのセンサＩＤは“０００１”で、センサ１１１ｂのセンサＩＤは“０００２”である。次に、センサ情報記憶部１１７に記憶されているセンサ情報から周辺状況情報が“操作部”であるセンサＩＤを取得する（ステップＳ４０１０）。具体的にはセンサＩＤ“０００１”が取得される。
【００６０】
次に、異常を検知しているセンサＩＤ、すなわち“０００１”と“０００２”の総てについて周辺状況情報が“操作部”であるセンサＩＤ“０００１”と一致するか否かを判断する（ステップＳ４０１１）。この場合は、“０００１”は一致しているが、“０００２”は一致しないため、一致しないと判断され、Ｎｏへ進む。
【００６１】
上述の判断によって、ステップＳ４００７で受付けた警備状態の入力を無効とする（ステップＳ４０１６）。さらに、操作者の注意を喚起するために、操作表示部１１４の警備モード表示部１１４２において警備がセットできない旨を表示する（ステップＳ４０１７）。
【００６２】
このような場合は出入口付近で人がまだ残っていると考えられるため、警備をセットする操作は“無効”となり、操作表示部１１４の検知信号表示部１１４１においてランプが点灯することによって異常を検知しているセンサの存在を確認できる。
【００６３】
操作２では、センサ１１１ａは異常を検知していないが、周辺状況情報が“廊下”のセンサ１１１ｃが異常を検知している（異常検知３）。このような場合の警備装置の処理を図４−１、図４−２のフローチャートによって説明する。操作１の場合と同様に、ステップＳ４００１〜ステップＳ４００５は、検知信号表示部１１４１の処理であるため、説明を省略する。まず操作２によって警備ボタンが押下されたと判断される（ステップＳ４００６：Ｙｅｓ）。次に警備状態の入力を受付け（ステップＳ４００７）、検知信号を送信しているセンサは“１１１ｃ”が存在するため、ステップＳ４００８の判断で“Ｙｅｓ”に進む（ステップＳ４００８：Ｙｅｓ）。
【００６４】
次に、異常を検知しているセンサ１１１ｃのセンサＩＤを取得する（ステップＳ４００９）。具体的には、センサ１１１ｃのセンサＩＤは“０００３”である。次に、センサ情報記憶部１１７に記憶されているセンサ情報から周辺状況情報が“操作部”であるセンサＩＤを取得する（ステップＳ４０１０）。具体的にはセンサＩＤ“０００１”が取得される。
【００６５】
次に、異常を検知しているセンサＩＤ、すなわち“０００３”は周辺状況情報が“操作部”であるセンサＩＤ“０００１”と一致するか判断する（ステップＳ４０１１）。この場合は、“０００３”と“０００１”は一致しないため、一致しないと判断され、Ｎｏへ進む。
【００６６】
上述の判断によって、ステップＳ４００７で受付けた警備状態の入力を無効とする（ステップＳ４０１６）。さらに、操作者の注意を喚起するために、操作表示部１１４の警備モード表示部１１４２において警備がセットできない旨を表示する（ステップＳ４０１７）。
【００６７】
このような場合はエリアＣ付近で人がまだ残っていると考えられるため、警備をセットする操作は“無効”なり、操作表示部１１４の検知信号表示部１１４１においてランプが点灯することによって異常を検知しているセンサの存在を確認できる。
【００６８】
操作３では、センサ１１１ｂおよびセンサ１１１ｃでは異常が検知されず、センサ１１１ａでは異常が検知されている（異常検知４）。このような場合の警備装置の処理を図４−１、図４−２のフローチャートによって説明する。操作１の場合と同様に、ステップＳ４００１〜ステップＳ４００５は、検知信号表示部１１４１の処理であるため、説明を省略する。まず操作３によって警備ボタンが押下されたと判断される（ステップＳ４００６：Ｙｅｓ）。次に警備状態の入力を受付け（ステップＳ４００７）、検知信号を送信しているセンサは“１１１ａ”が存在するため、ステップＳ４００８の判断で“Ｙｅｓ”に進む（ステップＳ４００８：Ｙｅｓ）。
【００６９】
次に、異常を検知しているセンサ１１１ａのセンサＩＤを取得する（ステップＳ４００９）。具体的には、センサ１１１ａのセンサＩＤは“０００１”である。次に、センサ情報記憶部１１７に記憶されているセンサ情報から周辺状況情報が“操作部”であるセンサＩＤを取得する（ステップＳ４０１０）。具体的にはセンサＩＤ“０００１”が取得される。
【００７０】
次に、異常を検知しているセンサＩＤ、すなわち“０００１”は周辺状況情報が“操作部”であるセンサＩＤ“０００１”と一致するか判断する（ステップＳ４０１１）。この場合は一致すると判断され、Ｙｅｓへ進む。
【００７１】
すなわち、警備解除状態から警備状態への切替は有効と判断され（ステップＳ４０１２）、警備状態切替部１１３は警備状態への切替えを行う（ステップＳ４０１３）。次に、タイマ部１１６は、時間の計測を開始する（ステップＳ４０１４）。操作表示部１１４の警備モード表示部１１４２は警備をセットした旨のメッセージを表示する（ステップＳ４０１５）。
【００７２】
このような場合は操作者が警備モード設定部１１４３において警備をセットする操作をし、センサ１１１ａに操作者が検知されているのであるから、警備をセットする操作は“有効”となる。また、操作表示部１１４の検知信号表示部１１４１はランプを点灯しない。
【００７３】
さらに、操作３で警備をセットする操作は“有効”となった時点で警備モードは警備状態に切り替えられる。よって、操作者は建物内の操作表示部１１４の警備モード設定部１１４３を操作して警備状態に切替わった後建物内から退出する際にはセンサが異常を検知し警報の誤報が送信されることが考えられる。
【００７４】
そこで、警備状態切替時点から一定時間内である場合では（警備状態１）、退出ルートに設置されているセンサ１１１ａ、センサ１１１ｂが異常を検知した場合には（異常検知４）（異常検知５）警報情報は送信されない。このような場合の警備装置の処理を図４−３のフローチャートによって説明する。まずセンサ“１１１ｂ”が異常を検知する。検知信号入力部１１２はセンサ１１１ｂの検知信号を受信し、異常を検知したセンサにＩＤを“０００２”を取得する（ステップＳ４０１８）。
【００７５】
警報送信制御部１１９は、タイマ部１１６から警備解除状態から警備状態に切替え完了後の経過時間を取得する（ステップＳ４０１９）。例えば、取得した経過時間が３分であるとする。警報送信制御部１１９は、異常検知は警備状態切替から一定時間内か、例えば一定時間が５分であるとすると、経過時間３分は一定時間５分以内であるから一定時間以内と判断されてＹｅｓへ進む（ステップＳ４０２０：Ｙｅｓ）。
【００７６】
さらに、警報送信制御部１１９は、異常を検知したセンサＩＤ“０００２”のセンサ情報記憶部１１７に記憶されているセンサ情報から退出ルート情報を取得し（ステップＳ４０２１）、検知されたセンサの退出ルート情報に“退出ルート”が設定されているか否かを判断する（ステップＳ４０２２）。センサＩＤ“０００２”の退出ルート情報には“退出ルート”が設定されているのでＹｅｓへ進み、処理を抜ける（ステップＳ４０２２：Ｙｅｓ）。
【００７７】
このように、警備状態への切替完了後から一定時間内でかつセンサが退出ルートに設置されている場合には、センサが異常を検知した場合でも警報を監視センタに送信しないことにより、操作者の退出に伴う誤報は送信されないこととなる。
【００７８】
また、警備状態切替時点から一定時間内でもセンサ１１１ｃが異常を検知した場合には（ステップＳ４０２２においてＮｏの場合）、警報情報を送信する（ステップＳ４０２３）。また、一定時間経過後は（ステップＳ４０２０においてＮｏの場合）、設置されているいずれのセンサが異常を検知した場合でも警報情報を送信する（ステップＳ４０２３）（警備状態２）。
【００７９】
このように、監視領域内に警備モード設定部が設置されているセンサが警備状態の切替時に異常を検知した場合であっても警備解除状態から警備状態への切替を有効とすることにより、操作者の存在によって警備状態への切替が無効とされず、ランプを点灯しないため、操作者はセンサを意識することなく警備の設定を行うことができ、操作性が向上する。
【００８０】
また、監視領域内に警備モード設定部が設置されていないセンサが異常を検知した場合には警備状態への切替を無効とし、ランプを点灯するため、戸締り忘れなどによる警備状態へ切替後の誤報を減少することができる。
【００８１】
また、操作者が警備区域外に出るための退出ルートに設定されているセンサが警備状態切替完了後一定時間内に異常を検知した場合には警報情報を送信しないように制御することにより、退出する操作者を検知しても警報が送信されないため、誤報を削減することができる。
【００８２】
さらに、退出ルート以外に設置されているセンサは警備状態へ切替完了直後から異常を検知した場合に監視センタに警報情報を送信することができ、タイマによって総てのセンサについて一定時間異常検知しない場合と比べて高度な警備を行うことができる。
【００８３】
（第２の実施の形態）
第２の実施の形態について、添付図面を参照して説明する。第２の実施の形態にかかる監視システムは、上述のような警備解除状態時において監視領域に警備モード設定部が設置されているため、異常を検知した旨を表示しないセンサも含め総てのセンサについて異常を検知しているか否かを表示することによってセンサの点検を行うものである。
【００８４】
本発明が適用される監視システムの構成例について説明する。図７は、第２の実施の形態にかかる監視システムの構成を示すブロック図である。警備装置７１０と、監視センタ１４０とから構成されており、警備装置７１０と監視センタ１４０とは電話回線、無線ネットワーク、インターネットなどのネットワーク１３０を介して接続されている。
【００８５】
本実施の形態にかかる警備装置は、センサ１１１ａ〜１１１ｃと、検知信号入力部１１２と、警備状態切替部１１３と、操作表示部７１４と、切替判定部１１５と、タイマ部１１６と、センサ情報記憶部１１７と、警備状態記憶部１１８と、警報送信制御部１１９と、警報送信部１２０と、センサ点検部７２１とから構成されている。
【００８６】
ここで、センサ１１１ａ〜１１１ｃと、検知信号入力部１１２と、警備状態切替部１１３と、切替判定部１１５と、タイマ部１１６と、センサ情報記憶部１１７と、警備状態記憶部１１８と、警報送信制御部１１９と、警報送信部１２０の構成、機能は、第１の実施の形態と同様であるので、説明を省略する。
【００８７】
操作表示部７１４は、上述の第１の実施の形態と同様に、さらに検知信号表示部１１４１と、警備モード表示部７１４２と、警備モード設定部７１４３とから構成されている。ここで、検知信号表示部１１４１の構成、機能は、第１の実施の形態と同様であるので、説明を省略する。
【００８８】
警備モード表示部７１４２は、上述の第１の実施の形態での構成、機能に加え、点検状態を設定した場合に点検状態であることを表示するものである。警備モード設定部７１４３は、上述の第１の実施の形態での構成、機能に加え、点検状態を設定することができるものである。警備モード設定部７１４３は、本発明にかかる点検モード設定手段を構成する。
【００８９】
センサ点検部７２１は、警備モード設定部７１４３で点検状態が設定された場合に、警備モードを警備解除状態に切替え異常を検知しているセンサを異常である旨を表示することによりセンサが監視領域内に人を検知した場合や扉の開閉を検知した場合などに検知信号が正常に送信されているか否かを点検するものである。
【００９０】
次に、以上のように構成されている警備装置によるセンサ点検処理について説明する。図８は、警備モード設定部と、センサ点検部と、警備モード表示部と、検知信号表示部が行うセンサ点検処理手順を示すフローチャートである。
【００９１】
前提として、警備解除状態が設定されているものとする。まず、操作者が点検ボタンを押下する。警備モード設定部７１４２は、点検状態の入力を受付ける（ステップＳ８００１）。警備モード表示部７１４２は、点検状態である旨を表示する（ステップＳ８００２）。
【００９２】
センサ点検部７２１は、異常を検知しているセンサが存在するか否かを判断する（ステップＳ８００３）。具体的には、センサの検知信号を受信しているか否かによって判断する。異常を検知しているセンサが存在すると判断した場合には（ステップＳ８００３：Ｙｅｓ）、検知信号表示部１１４１はランプを点灯して表示する（ステップＳ８００４）。なお、検知信号表示部に１１４１にセンサごとのランプを設けている場合には、異常を検知しているランプを点灯する。異常を検知しているセンサが存在しないと判断した場合には（ステップＳ８００３：Ｎｏ）、処理を抜け終了する。
【００９３】
なお、検知信号表示部１１４１にセンサごとのランプを設けている場合には、点検状態の入力を受付けた時に総てのセンサのランプを点灯させ、異常を検知した場合にランプを消灯することによって、センサごとの点検を行なってよい。
【００９４】
このように、点検状態に設定してセンサを点検することにより、監視領域に警備モード設定部が存在するセンサを含めて総てのセンサを点検することができるため、センサの故障を確認することができ、信頼性の高い警備を行うことができるという効果を奏する。
【００９５】
なお、第１および第２の実施の形態の警備装置で実行される警備プログラムは、ＲＯＭ等に予め組み込まれて提供される。
【００９６】
第１および第２の実施の形態の警備装置で実行される警備プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００９７】
さらに、第１および第２の実施の形態の警備装置で実行される警備プログラムを、インターネット等のネットワークに接続されたコンピュータ上に格納し、ネットワーク経由でダウンロードさせることにより提供するように構成しても良い。また、第１および第２の実施の形態の警備装置で実行される警備プログラムをインターネット等のネットワーク経由で提供または配布するように構成しても良い。
【００９８】
第１および第２の実施の形態の警備装置で実行される警備プログラムは、上述した各部（検知信号入力部、警備状態切替部、操作部、切替判定部、タイマ部、センサ情報記憶部、警備状態記憶部、警報送信制御部、警報送信部、センサ点検部など）を含むモジュール構成となっており、実際のハードウェアとしてはＣＰＵ（プロセッサ）が上記ＲＯＭから警備プログラムを読み出して実行することにより上記各部が主記憶装置上にロードされ、検知信号入力部、警備状態切替部、操作部、切替判定部、タイマ部、センサ情報記憶部、警備状態記憶部、警報送信制御部、警報送信部、センサ点検部などが主記憶装置上に生成されるようになっている。
【図面の簡単な説明】
【００９９】
【図１】第１の実施の形態にかかる監視システムの構成を示すブロック図である。
【図２】操作表示部の一例を示す説明図である。
【図３】センサ情報記憶部が記憶しているセンサ情報のデータ構成の一例を示す説明図である。
【図４−１】警備モード設定部、切換判定部、警備状態切換部、タイマ部、警備モード表示部、検知信号表示部、検知信号入力部、警報送信制御部が行う警備モード切替手順を示すフローチャートである。
【図４−２】警備モード設定部、切換判定部、警備状態切換部、タイマ部、警備モード表示部、検知信号表示部、検知信号入力部、警報送信制御部が行う警備モード切替手順を示すフローチャートである。
【図４−３】警備モード設定部、切換判定部、警備状態切換部、タイマ部、警備モード表示部、検知信号表示部、検知信号入力部、警報送信制御部が行う警備モード切替手順を示すフローチャートである。
【図５】警備装置が設置されている警備領域の一例を示す説明図である。
【図６】センサの異常検知状態と警備状態切替の有効無効の関係の一例を示す説明図である。
【図７】第２の実施の形態にかかる監視システムの構成を示すブロック図である。
【図８】警備モード設定部と、センサ点検部と、警備モード表示部と、検知信号表示部が行うセンサ点検処理手順を示すフローチャートである。
【符号の説明】
【０１００】
１００  ７００  監視システム
１１０  ７１０  警備装置
１１１ａ〜１１１ｃ  センサ
１１２  検知信号入力部
１１３  警備状態切替部
１１４  ７１４  操作表示部
１１４１  検知信号表示部
１１４２  ７１４２  警備モード表示部
１１４３  ７１４３  警備モード設定部
１１５  切替判定部
１１６  タイマ部
１１７  センサ表示記憶部
１１８  警備状態切替部
１１９  警報送信制御部
７２１  センサ点検部
１２０  警報送信部
１３０  ネットワーク
１４０  監視センタ
【図１】
2006185128.tif 000003
【図２】
2006185128.tif 000004
【図３】
2006185128.tif 000005
【図４−１】
2006185128.tif 000006
【図４−２】
2006185128.tif 000007
【図４−３】
2006185128.tif 000008
【図５】
2006185128.tif 000009
【図６】
2006185128.tif 000010
【図７】
2006185128.tif 000011
【図８】
2006185128.tif 000012